(57)【要約】      （修正有）【課題】配線すべき対象機器が複数あり、その形状・色が似通っている場合でも、ユーザによる配線誤りを防止することができ、ユーザが自力で正しく配線作業を終了することができる配線支援装置を提供する。【解決手段】テンプレート１０と、テンプレート１０に設けられている溝であって、第１の機器を載置する第１の機器用溝１１と、テンプレート１０に設けられている溝であって、第１の機器と接続すべき第２の機器を載置する第２の機器用溝１２と、テンプレート１０に設けられている溝であって、第１の機器と第２の機器とを接続する配線ケーブルを載置する配線ケーブル用溝であって、第１の機器用溝１１と第２の機器用溝１２との間に設けられている配線ケーブル用溝１４とを有する配線支援装置１００である。【選択図】図１
2008153436.tif 000002
【特許請求の範囲】
【請求項１】
配線対象機器または配線対象機器の模型を載置するテンプレートと；
上記テンプレートに設けられている溝であって、第１の機器を載置する第１の機器用溝と；
上記テンプレートに設けられている溝であって、上記第１の機器と接続すべき第２の機器を載置する第２の機器用溝と；
上記テンプレートに設けられている溝であって、上記第１の機器と上記第２の機器とを接続する配線ケーブルを載置する配線ケーブル用溝であって、上記第１の機器用溝と上記第２の機器用溝との間に設けられている配線ケーブル用溝と；
を有することを特徴とする配線支援装置。
【請求項２】
請求項１において、
上記第１の機器用溝に、上記第１の機器の実物が載置されていることを特徴とする配線支援装置。
【請求項３】
請求項１において、
上記第２の機器用溝に、上記第２の機器の模型が載置されていることを特徴とする配線支援装置。
【請求項４】
請求項１において、
上記配線ケーブル用溝に、配線ケーブルの実物が載置されていることを特徴とする配線支援装置。
【請求項５】
請求項１において、
上記テンプレートの上に重ね合わせて使用する配線説明シートであって、上記第１の機器、上記第２の機器、上記配線ケーブルについての配線説明が記載されている透過性の配線説明シートを有することを特徴とする配線支援装置。
【請求項６】
請求項５において、
上記配線説明は、上記第１の機器、上記第２の機器、上記配線ケーブルについての実物大の形状、名称、設置場所のうちの少なくとも１つに関する説明情報であることを特徴とする配線支援装置。
【請求項７】
配線対象機器または配線対象機器の模型を載置するテンプレートと；
上記テンプレートに設けられている溝であって、第１の機器を載置する第１の機器用溝と；
上記テンプレートに設けられている溝であって、上記第１の機器と接続すべき第２の機器を載置する第２の機器用溝と；
を有することを特徴とする配線支援装置。
【発明の詳細な説明】
【技術分野】
【０００１】
本発明は、配線が必要な機器において、機器についての前提知識のない初心者でも、簡単かつ確実に配線することができる配線支援装置に関する。
【背景技術】
【０００２】
ダンボール等の箱に梱包されている機器であって、配線を必要とする機器を、ユーザが初めて使う場合、ユーザが、その箱から、その機器とマニュアルとを取り出し、マニュアルを参考にして、機器を配線する作業を行う。
【０００３】
箱に同梱されているマニュアルは、従来、冊子または１枚紙等の紙面に、配線図が描かれたものであり、この配線図は、実物を模写したイラストや写真を表示している図であり、配線すべき対象の機器における配線が具体的に記載されている。
【０００４】
たとえば、フォント・イラスト・写真等のビジュアル表現によって、機器をどのように用いるかを表現する。また、このビジュアル表現を調査し、類型化し、この類型化されたビジュアル表現によって、機器をどのように用いるかを表現することが知られている（たとえば、非特許文献１参照）。
【非特許文献１】木原萌美「マニュアルにおける複合的ビジュアル手法」テクニカルコミュニケーションシンポジウム２００６論文集、ｐ．１５−１９
【発明の開示】
【発明が解決しようとする課題】
【０００５】
しかし、紙に書かれている従来のマニュアルを使用して機器を配線する場合であって、配線すべき対象機器が複数あり、その形状・色が似通っている場合、ユーザが対象機器を正しく特定（認識）が困難であり、正しく配線できない場合があるという問題がある。
【０００６】
つまり、上記従来技術を用いると、マニュアルに記載されている機器の図（または写真）や注意書き等の文字情報を頼りに、配線すべき対象機器を特定し、図や文字等の二次元の情報では、実物の大きさ・素材・質感・重さ等を充分に表現することができないので、対象機器を直感的に特定することが困難である。したがって、ユーザが機器に不慣れな初心者であれば、機器の名称や特徴についての前提知識がないので、図の見間違いや注意書きの誤読・読み飛ばし、配線ミスを起こし易い。
【０００７】
さらに、配線に必要な機器は、ユーザの目の前にある機器だけとは限らない。配線すべき機器が複数存在し、ユーザの目の前には、そのうちの一部の機器しか存在していない場合、全ての機器を配線するように、マニュアルに記載されていたとしても、ユーザは、目の前にある機器に気をとられ、それ以外の機器を探さずに、配線が不完全なまま配線作業を終了することがあるという問題がある。
【０００８】
たとえば、自宅に光ケーブルの回線終端装置が既に設置されている状態で、「ルータ」をユーザに送付し、ルータと回線終端装置とを配線する場合等に、上記問題が発生し易い。
【０００９】
また、非同梱機器と配線する場合、同梱機器同士を配線する場合よりも、探す範囲が広いので、配線すべき機器を探し出すことがさらに困難であるという問題がある。
【００１０】
そして、配線すべき対象機器を、一旦、探し出すことができたとしても、結線すべき機器や配線口が複数、存在していると、初心者のユーザは、機器の配線の意味を理解していないので、異なる機器同士を誤って配線する等の配線ミスを起こし易いという問題もある。
【００１１】
本発明は、配線すべき対象機器が複数あり、その形状・色が似通っている場合でも、ユーザによる配線誤りを防止することができ、ユーザが自力で正しく配線作業を終了することができる配線支援装置を提供する。
【課題を解決するための手段】
【００１２】
本発明は、テンプレートと、上記テンプレートに設けられている溝であって、第１の機器を載置する第１の機器用溝と、上記テンプレートに設けられている溝であって、上記第１の機器と接続すべき第２の機器を載置する第２の機器用溝と、上記テンプレートに設けられている溝であって、上記第１の機器と上記第２の機器とを接続する配線ケーブルを載置する配線ケーブル用溝であって、上記第１の機器用溝と上記第２の機器用溝との間に設けられている配線ケーブル用溝とを有する配線支援装置である。
【発明の効果】
【００１３】
本発明によれば、配線すべき対象機器が複数あり、その形状・色が似通っている場合でも、ユーザによる配線誤りを防止することができ、ユーザが自力で正しく配線作業を終了することができるという効果を奏する。
【発明を実施するための最良の形態】
【００１４】
発明を実施するための最良の形態は、以下の実施例である。
【実施例１】
【００１５】
図１は、本発明の実施例１である配線支援装置１００を示す斜視図である。
【００１６】
図２は、配線支援装置１００を、配線シート７０を除去して、上から見た平面図である。
【００１７】
図３は、配線線装置１００を、図２のＩＩＩ−ＩＩＩ線から見た断面図である。
【００１８】
配線支援装置１００は、テンプレート１０と、配線説明シート７０とを有する。
【００１９】
テンプレート１０は、配線対象機器または配線対象機器の模型を載置する台であり、配線対象機器用溝１１と、模型用溝１２、１３と、配線ケーブル用溝１４、１５とを有する。
【００２０】
配線支援装置１００が、実際に使用される場合には、図示しない箱に、テンプレート１０が収納され、配線対象機器用溝１１に、配線対象機器２０が載置され、模型用溝１２に、模型３０が載置され、模型用溝１３に、模型４０が載置され、配線ケーブル用溝１４に、配線ケーブル５０が載置され、配線ケーブル用溝１５に、配線ケーブル６０が載置されている。
【００２１】
配線対象機器２０は、実物であり、配線対象機器用溝１１の上に、載置され、配線対象機器用溝１１から、取り外しが可能であり、第１の機器の例である。
【００２２】
模型３０は、模型用溝１２に載置され、模型用溝１２から、取り外しが可能であり、第２の機器の例である。模型４０は、模型用溝１３に載置され、模型用溝１３から、取り外しが可能であり、第３の機器の例である。
【００２３】
模型３０や模型４０の実物は、テンプレート１０とは、別に、ユーザが入手することを想定し、たとえば、ユーザがオプションで別途購入し、または、ユーザの自宅等に既に存在している機器である。
【００２４】
配線ケーブル５０は、配線ケーブル用溝１４に載置され、配線ケーブル用溝１４から、取り外しが可能である。配線ケーブル６０は、配線ケーブル用溝１５に載置され、配線ケーブル用溝１５から、取り外しが可能である。
【００２５】
模型３０、４０は、形状・色・質感・重さ等、模型３０、４０の実物を、ユーザが認識する上で、手がかりとなる特徴を模擬する模型であり、ユーザに実物の機器を想起することを支援する。
【００２６】
配線説明シート７０は、透過性を有し、機器の実物大の形状や、機器の名称・注意点、配線順序等、配線に関する配線説明（補足情報）が書き込まれているシートである。つまり、配線説明シート７０は、テンプレート１０の上に重ね合わせて使用するシートであり、第１の機器、第２の機器、配線ケーブルについての配線補足情報が記載されている透過性の配線説明シートの例である。
【００２７】
シート７０が半透明であるので、テンプレート１０の上に重ね合わせて使用することができ、テンプレート１０、配線対象機器２０等について、さらに詳細な情報を追加することができる。なお、配線説明シート７０を省略するようにしてもよい。
【００２８】
次に、配線対象機器２０と、模型３０、４０の実物とを接続する動作について説明する。
【００２９】
まず、テンプレート１０と、配線対象機器２０と、模型３０、４０と、配線ケーブル５０、６０とによって構成されている配線支援装置１００が梱包されている箱を開く。そして、テンプレート１０の溝１１、１２、１３、１４、１５に、それぞれ、配線対象機器２０、模型３０、４０、配線ケーブル５０、６０が載置されている状態で、箱から取り出す。
【００３０】
ユーザは、模型３０、４０を手がかりに、模型３０、４０に対応する実物の機器を認識し、模型３０、４０が設置されている模型用溝１２、１３から、模型３０、４０を取り出し、模型用溝１２、１３のそれぞれに、模型３０、４０の実物を設置する。これによって、どの機器とどの機器とを配線するかを、明確に認識することができ、正しい配線を行うことができる。
【００３１】
つまり、配線対象機器２０と、模型３０の実物とを、ケーブル５０によって接続し、配線対象機器２０と、模型４０の実物とを、ケーブル５０によって接続することを、ユーザが認識するので、配線作業が容易かつ確実に実行される。
【００３２】
したがって、実施例１によれば、どの機器のどの部分に何を接続する必要があるかを、ユーザが考えなくても、配線すべき部位に、配線すべきケーブルを、直感的かつ正確に把握することができ、配線誤りを防止することができる。
【００３３】
配線ケーブル５０を用いて、配線対象機器２０と模型３０の実物とを接続し、配線ケーブル６０を用いて、配線対象機器２０と模型４０の実物とを接続することが、図２に示すように、テンプレート１０に記載されている。
【００３４】
つまり、模型用溝１２に載置されている模型３０には、「ご自宅にある、この模型と同じ形の機器を探して、配線を行ってください。」が記載されている。また、模型用溝１３に載置されている模型４０にも、「ご自宅にある、この模型と同じ形の機器を探して、配線を行ってください。」が記載されている。
【００３５】
なお、図２には、接続する機器が３種類のみ記載されているが、３種類以上の接続すべき機器をテンプレート１０に設置するようにしてもよく、また、接続すべき機器またはケーブルは、その種類、個数、構成、形状等を問わない。
【００３６】
また、テンプレート１０に、注意書きや絵等が書き込むようにしてもよい。たとえば、テンプレート１０から、配線対象機器２０を取り外した後に、その配線対象機器用溝１１に置かれていた機器が何であったかが分かるように、配線対象機器用溝１１に、配線対象機器２０の絵や写真等を記載するようにしてもよい。
【００３７】
配線対象機器２０を購入した際に、テンプレート１０に、配線対象機器２０が梱包され、梱包物に含まれていないが、配線対象機器２０と配線する必要がある機器の模型が、テンプレート１０上に設置されている。
【００３８】
一方、テンプレート１０の溝１１、１２、１３に、全て模型が載置され、配線対象機器２０のような実物の機器を全く設置（梱包）しないようにしてもよい。この場合、ユーザは、模型に対応する実物の機器を全て用意し、ユーザ自身が、溝１１、１２、１３のそれぞれに、実物の機器を載置し、配線する。
【００３９】
また、テンプレート１０の溝と、テンプレート１０上に書き込んだ情報だけによって、ユーザが、配線対象機器を特定（認識）することができれば、実物も模型も、テンプレート１０に載置する必要がない。
【００４０】
配線ケーブル５０、６０は、機器同士を接続するケーブルであるが、これについても、配線対象機器と同様に、実物を載置しても、その模型を載置するようにしてもよい。配線ケーブルが実物であれば、ユーザは、その配線ケーブルを用いて、テンプレート１０に沿って機器を接続すればよい。配線ケーブルが模型であれば、同じ形状を有する実物のケーブルを用意し、模型を実物に置き換えて、配線すればよい。さらに、テンプレート１０の溝と、テンプレート１０上に書き込まれている情報とだけによって、ユーザが、配線ケーブルを認識することができれば、実物も模型も、テンプレート１０に設置する必要がない。
【００４１】
また、テンプレート１０上に設置されているケーブルと配線対象機器とが、いずれも実物であれば、予め結線した状態で、テンプレート１０上に設置するようにしていてもよい。
【００４２】
たとえば、図２に示す配線対象機器２０と配線ケーブル５０とをテンプレート１０上で既に結線してある状態で、ユーザに提供し、また、配線対象機器２０と配線ケーブル６０とをテンプレート１０上で既に結線してある状態で、ユーザに提供すれば、ユーザは、配線ケーブル５０と模型３０の実物とを結線し、配線ケーブル６０と模型４０の実物とを結線すれば足りる。
【００４３】
また、テンプレート１０上に設置した機器２０、模型３０、４０に、シート７０を重ね合わせたときに、機器２０、模型３０、４０にそれぞれ記載されている文字と、シート７０に記載されている文字とが一致すれば、機器２０、模型３０、４０が正しい機器、模型であることを、ユーザが確認することができる。また、配線後の機器の挙動（ランプ状態等）が、シート７０に書き込まれていれば、配線が正しいことを、ユーザが確認することもできる。
【００４４】
上記実施例は、機器に不慣れなユーザが機器の配線を行う際に利用する配線支援装置１００において、配線すべき対象機器とケーブルが丁度収まる溝１１、１２、１３、１４、１５が設けられ、溝１１〜１５のそれぞれに沿って、必要な機器、配線ケーブルを嵌め込み、機器、配線ケーブルを接続することによって、配線が完成する。
【００４５】
つまり、上記実施例によれば、配線すべき対象機器が複数あり、その形状・色が似通っている場合でも、ユーザの配線誤りを防止することができ、ユーザが自力で配線を行うことができる。
【００４６】
また、上記実施例によれば、配線すべき対象機器の特定が困難である場合、配線すべき機器の模型を、テンプレート１０上に設置しておけば、ユーザが実物の形状・大きさ・素材・質感・重さ等の三次元の外観情報を手がかりに、直感的に対象機器を特定することできる。特に、ユーザが機器に不慣れな初心者であっても、機器の名称や特徴についての前提知識を必要としないので、効果的である。
【００４７】
さらに、配線すべき機器が複数あり、ユーザの目の前にその中の一部の機器しか存在しない場合、たとえ全ての機器を配線するようマニュアルに記載されていても、ユーザは、目の前にある機器に気をとられ、それ以外の機器を探さずに、配線が不完全なまま終了するという問題がある。しかし、上記実施例によれば、模型が設置されているので、ユーザに、模型と同様の機器を「探して接続しなくてはいけない」ことを気付かせることができる。
【００４８】
つまり、上記実施例は、三次元的な模型によって、配線を説明する実施例であり、機器やケーブルが、丁度収納され、上面が開口した三次元テンプレート（いわば、鋳型）があり、この三次元テンプレートに、機器や配線を当て嵌めれば、間違いなく配線することができる。機器やケーブルの模型を付けることによって、接続対象の機器やケーブルを特定し易い。
【実施例２】
【００４９】
図４は、本発明の実施例２である配線支援装置１００ａを示す斜視図である。
【００５０】
配線支援装置１００ａは、配線支援装置１００において、配線ケーブル用溝１４、１５を削除し、配線対象機器用溝１１、模型用溝１２、１３の形状を変えた装置である。つまり、配線支援装置１００ａは、テンプレート１０の代わりに、テンプレート１０ａを設けと、配線説明シート７０の代わりに、配線説明シート７０ａを設けた装置である。
【００５１】
配線対象機器用溝１１ａは、突起Ｔ１を有し、模型用溝１２ａは、突起Ｔ２を有する。
【００５２】
配線対象機器用溝１１ａに載置される配線対象機器は、突起状のコネクタを有する。模型用溝１２ａに載置される模型に対応する機器は、突起状のコネクタを有する。
【００５３】
また、配線対象機器用溝１１ａに載置される配線対象機器の突起状のコネクタに対応して、模型用溝１３ａに載置される模型に対応する機器に、凹状のコネクタが設けられている。さらに、模型用溝１２ａに載置される模型に対応する機器の突起状のコネクタに対応して、配線対象機器用溝１１ａに載置される配線対象機器に、凹状のコネクタが設けられている。
【００５４】
そして、配線対象機器用溝１１ａに、配線対象機器の実物が載置され、模型用溝１２ａ、１３ａに機器の模型が載置されているとする。実際に配線する場合、模型に対応する機器の実物を、模型用溝１２ａ、１３ａに載置し、テンプレート１０ａに示す矢印に沿って、配線対象機器の突起状コネクタを、模型用溝１３ａに載置された機器の凹状コネクタに挿入する。また、テンプレート１０ａに示す矢印に沿って、模型用溝１２ａに載置された機器の突起状コネクタを、配線対象機器の凹状コネクタに挿入する。
【００５５】
実施例２によれば、配線ケーブルを使用せずに機器同士を接続する場合、つまり、機器にコネクタが取り付けられている場合に、どの機器のどの部分に何を接続する必要があるかを、ユーザが考えなくても、直感的かつ正確に把握することができ、配線誤りを防止することができる。
【００５６】
つまり、実施例２は、配線対象機器または配線対象機器の模型を載置するテンプレートと、上記テンプレートに設けられている溝であって、第１の機器を載置する第１の機器用溝と、上記テンプレートに設けられている溝であって、上記第１の機器と接続すべき第２の機器を載置する第２の機器用溝とを有する配線支援装置の例である。
【図面の簡単な説明】
【００５７】
【図１】本発明の実施例１である配線支援装置１００を示す斜視図である。
【図２】配線支援装置１００を、配線シート７０を除去して、上から見た平面図である。
【図３】配線線装置１００を、図２のＩＩＩ−ＩＩＩ線から見た断面図である。
【図４】本発明の実施例２である配線支援装置１００ａを示す斜視図である。
【符号の説明】
【００５８】
１００…配線支援装置、
１０…テンプレート、
１１〜１５…溝、
２０…配線対象機器、
３０、４０…模型、
５０、６０…配線ケーブル、
７０…配線説明シート、
１００ａ…配線支援装置、
１０ａ…テンプレート、
１１ａ〜１３ａ…溝、
Ｔ１、Ｔ２…突起、
７０ａ…配線説明シート。
【図１】
2008153436.tif 000003
【図２】
2008153436.tif 000004
【図３】
2008153436.tif 000005
【図４】
2008153436.tif 000006